(57)【要約】【課題】浴槽９０内に吐出される冷水によって入浴者に不快感を与えることを抑制する。【解決手段】貯湯式給湯器１は、貯湯タンク１０内の一次温水と浴槽内の二次温水との間で熱交換して浴槽９０内の二次温水を加熱する熱交換器３０と、貯湯タンク１０と熱交換器３０との間で一次温水を循環させる追焚きポンプ１８と、熱交換器３０と浴槽９０内との間で二次温水を循環させる風呂ポンプ８３とを備える。電子制御装置９５は、追焚きポンプ１８を停止した状態で風呂ポンプ８３を連続して運転して循環回路３４内にて二次温水を循環させる新保温モードを実行する。したがって、浴槽９０および二次側熱交換部３２の間で二次温水が連続的に循環される。【選択図】図１
2018076982.tif 000002
【特許請求の範囲】
【請求項１】
貯湯タンク（１０）内の一次温水と浴槽（９０）内の二次温水との間で熱交換して前記浴槽内の二次温水を加熱する熱交換器（３０）と、前記貯湯タンクと前記熱交換器との間で前記一次温水を循環させる第１ポンプ（１８）と、前記熱交換器と前記浴槽内との間で前記二次温水を循環させる第２ポンプ（８３）とを備える給湯器に適用される給湯器用電子制御装置であって、
前記第１ポンプを停止した状態で前記第２ポンプを連続して運転して前記熱交換器と前記浴槽内との間で前記二次温水を循環させる第１モードを実行する第１保温制御部（Ｓ１２０）を備える給湯器用電子制御装置。
【請求項２】
前記二次温水を保温すべきか否かを判定する第１判定部（Ｓ１００）と、
前記第１モードを実行すべきか否かを第２判定部（Ｓ１１０）と、
前記二次温水を保温すべきであると前記第１判定部が判定し、かつ前記第１モードを実行すべきでないと前記第２判定部が判定したとき、前記第１ポンプと前記第２ポンプとを間欠的に運転させることにより、前記熱交換器にて前記一次温水により前記二次温水を間欠的に加熱させる第２モードを実行する第２保温制御部（Ｓ１８０）と、を備え、
前記二次温水を保温すべきであると前記第１判定部が判定し、かつ前記第１モードを実行すべきであると前記第２判定部が判定したとき、前記第１保温制御部が前記第１モードを実行する請求項１に記載の給湯器用電子制御装置。
【請求項３】
前記第２判定部は、前記浴槽が配置されている浴室に隣接する脱衣室に人が存在するか否かを検出するためのセンサ（１００）の検出値に基づいて、前記脱衣室に人が存在するか否かを判定することにより、前記第１モードを実行すべきか否かを判定する請求項２に記載の給湯器用電子制御装置。
【請求項４】
前記第２ポンプは、前記二次温水の流れを回転により発生させる羽根車（８３ｂ）と前記羽根車を回転させる電動モータ（８３ａ）とを備え、
前記第２保温制御部が前記第２モードを実行する際に前記羽根車を回転させる前記電動モータの回転数を第１回転数とし、
前記第１保温制御部は、前記第１モードを実行する際に前記第１回転数よりも小さい回転数で前記羽根車を回転させるように前記電動モータを制御する請求項２または３に記載の給湯器用電子制御装置。
【請求項５】
前記二次温水の温度を検出する水温センサ（８２）の検出値に基づいて、前記二次温水の温度が閾値よりも低いか否かを判定する第３判定部（Ｓ１４０）と、
前記第１保温制御部が前記第１モードを実行した後、前記二次温水の温度が閾値よりも低いと前記第３判定部が判定したとき、前記第１ポンプと前記第２ポンプとをそれぞれ運転することにより、前記熱交換器にて前記一次温水により前記二次温水を加熱させる第３モードを実行する第３保温制御部（Ｓ１２０、Ｓ１５０）と、
を備える請求項１ないし４のいずれか１つに記載の給湯器用電子制御装置。
【発明の詳細な説明】
【技術分野】
【０００１】
本発明は、給湯器用電子制御装置に関するものである。
【背景技術】
【０００２】
従来、風呂釜の保温装置において、追焚き保温モードの動作開始時に、浴槽と風呂釜と間の配管内に滞留した冷えた温水（すなわち、冷水）が浴槽内に吐出して入浴者の身体に触れる不快感を緩和解消するための保温モードを備えたものがある（例えば、特許文献１参照）。
【０００３】
このものにおいては、保温モードでは、追焚き保温動作の開始時に、浴槽から追焚き熱交換器を経由して浴槽に戻るループ経路内の冷水が浴槽に出終る時間だけ循環ポンプのオン・オフ間欠駆動を行う。
【０００４】
この後、循環ポンプを連続運転に切り換えて風呂温度センサで浴槽湯水の温度を検出し、検出温度が風呂設定温度よりも低いときには追焚きバーナを燃焼させて浴槽湯水を風呂設定温度に達するまで追焚きして保温する。
【０００５】
追焚き保温動作の開始時に、ループ経路内の冷水は循環ポンプの間欠駆動により断続的に浴槽に吐出する。このため、冷水の流速が弱められるので、冷水が入浴者の身体に触れる不快感を緩和させることができる。
【先行技術文献】
【特許文献】
【０００６】
【特許文献１】特許３６４３３９０号明細書
【発明の概要】
【発明が解決しようとする課題】
【０００７】
しかしながら、上記特許文献１の風呂釜の保温装置では、上述の如く、追焚き保温モードの動作開始時に、循環ポンプの間欠駆動によりループ経路内の冷水を断続的に浴槽に吐出させるため、浴槽内に吐出される冷水の流速が弱められ、冷水が入浴者の身体に触れる不快感を緩和させることができる。
【０００８】
しかし、浴槽内に冷水が吐出されることは変わりなく、入浴者に与える不快感を緩和させることに留まり、浴槽内に吐出される冷水が入浴者の身体に触れると、入浴者に不快感を与えてしまう。
【０００９】
本発明は上記点に鑑みて、浴槽内の入浴者に不快感を与えることを抑制するようにした給湯器用電子制御装置を提供することを目的とする。
【課題を解決するための手段】
【００１０】
上記目的を達成するため、請求項１に記載の発明では、貯湯タンク（１０）内の一次温水と浴槽（９０）内の二次温水との間で熱交換して浴槽内の二次温水を加熱する熱交換器（３０）と、貯湯タンクと熱交換器との間で一次温水を循環させる第１ポンプ（１８）と、熱交換器と浴槽内との間で二次温水を循環させる第２ポンプ（８３）とを備える給湯器に適用される給湯器用電子制御装置であって、
第１ポンプを停止した状態で第２ポンプを連続して運転して熱交換器と浴槽内との間で二次温水を循環させる第１モードを実行する第１保温制御部（Ｓ１２０）を備える。
【００１１】
請求項１に記載の発明によれば、第１モードを実行すれば、熱交換器と浴槽内との間で循環させる二次温水が浴槽内に吐出される。このため、浴槽内に吐出される二次温水が入浴者の身体に触れても、入浴者に不快感を与えることを抑制することができる。
【００１２】
したがって、浴槽内の入浴者に違和感を与えることを抑制するようにした給湯器用電子制御装置を提供することができる。
【００１３】
これに加えて、請求項１に記載の発明によれば、第１モードでは、第１ポンプを停止するため、エネルギ消費を抑えることができる。
【００１４】
なお、この欄および特許請求の範囲で記載した各手段の括弧内の符号は、後述する実施形態に記載の具体的手段との対応関係を示すものである。
【図面の簡単な説明】
【００１５】
【図１】本発明の一実施形態における給湯システムの全体構成を示す模式図である。
【図２】一実施形態における給湯システムの電気回路構成を示すブロック図である。
【図３】図２中の電子制御装置の保温制御処理を示すフローチャートである。
【発明を実施するための形態】
【００１６】
以下、本発明に係る給湯器の一実施形態について図１等に基づいて説明する。
【００１７】
本実施形態の貯湯式給湯器１は、貯湯タンク１０内に貯えられた一次温水を風呂などへの給湯機能に用いるとともに、貯湯タンク１０内に貯えられた一次温水を一次側の熱源として、二次側に流通する二次温水を加熱する熱交換器３０を備え、二次温水の保温機能等に利用したものである。
【００１８】
先ず、給湯機能は、図１に示すように、一次温水を内部に貯える貯湯タンク１０と、この貯湯タンク１０内の最下部１０ｃから低温の一次温水を取り出し、高温にして貯湯タンク１０内の最上部１０ｂに送る一次温水加熱回路２１と、この一次温水加熱回路２１を流れる一次温水を加熱する加熱装置としてのヒートポンプ熱源機２０と、貯湯タンク１０内に水道水を給水する給水用配管１２とから構成されている。
【００１９】
一方、保温機能においては、貯湯タンク１０内の一次温水が一次側に流通する一次側熱交換部３１と二次側に二次温水が流通する二次側熱交換部３２からなる熱交換器３０と、追焚き装置４０と、これらを接続する追焚き回路３４とから構成されている。
【００２０】
次に、給湯機能を構成する構成部品についてより具体的に説明する。
【００２１】
貯湯タンク１０は、縦長形状の耐食性に優れた金属製（例えば、ステンレス製）の容器で形成され、外周部に図示しない断熱材が配設され、高温の一次温水を長時間に渡って保温できるようになっている。また、貯湯タンク１０内の底面には給水口１０ａが設けられ、この給水口１０ａに給水経路である給水用配管１２が接続されている。
【００２２】
給水用配管１２には、給水用配管１２には、開閉弁５０が設けられている。開閉弁５０は、給水用配管１２を開閉する。
【００２３】
給水用配管１２には、給水口１０ａに導入される水道水が流入される。給水用配管１２の下流端は、お湯張り用混合弁５１の一方の入口側に繋がれている。
【００２４】
また、貯湯タンク１０の最上部には給湯口１０ｄが設けられ、この給湯口１０ｄには貯湯タンク１０内に貯えられた温水のうち高温の温水を導出するための給湯経路である給湯管１３が接続されている。
【００２５】
給湯管１３の下流端は、混合弁５２の一方の入口側に繋がれている。貯湯タンク１０の側壁のうち高さ方向中間位置には給湯口１０ｅが設けられ、この給湯口１０ｅには貯湯タンク１０内に貯えられた温水のうち中間温度の温水を導出するための給湯経路である給湯管１４が接続されている。
【００２６】
給湯管１４は、お湯張り用混合弁５１の他方の入口側に繋がれている。お湯張り用混合弁５１は、温水配管１５からの温水と給水用配管１２からの冷水との混合比を調整する電磁弁である。
【００２７】
混合弁５２の出口側には、混合弁５２出口からの中間温度の温水をお湯張り用混合弁５１の他方の入口に導くための温水配管１５が接続されている。混合弁５２は、給湯管１３からの高温水と給湯管１４からの温水との混合比を調整する電磁弁である。
【００２８】
お湯張り用混合弁５１の出口には、追焚き回路３４に接続されるお湯張り用配管１６が接続されている。お湯張り用配管１６には、流量カウンタ５３、湯張り用開閉弁５４、逆止弁５５、５６が設けられている。
【００２９】
この湯張り用開閉弁５４は、お湯張り用配管１６を開閉する電磁弁である。流量カウンタ５７ａは、お湯張り用配管１６内に流れる湯張り流量を検出するものである。そして、逆止弁５５、５６は、追焚き装置４０内の二次温水がお湯張り用配管１６に逆流させないための弁である。
【００３０】
貯湯タンク１０の外壁面には、一次温水の貯湯量、もしくは貯湯温度を検出するための水温センサである複数（本例では、５箇所）のサーミスタ６０〜６４が縦方向（タンクの高さ方向）にほぼ等間隔に配置され、貯湯タンク１０内に満たされた一次温水の各水位レベルでの温度情報を検出するようになっている。
【００３１】
次に、保温機能を構成する構成部品についてより具体的に説明する。追焚き装置４０は、浴槽９０内の二次温水を熱交換器３０の二次側熱交換部３２に循環させて二次温水を追焚きする装置であり、往き管７１、戻り管７２から構成された追焚き回路３４を備える。
【００３２】
戻り管７２には、上流側から下流側にかけて順に、水位センサ８０、フローセンサ８１、風呂サーミスタ８２、風呂ポンプ８３が設けられている。水位センサ８０は、浴槽９０内に湯張りされた二次温水の湯量、言い換えれば、浴槽９０内の水位レベルを求めるための水圧を検出するセンサである。フローセンサ８１は、戻り管７２を流通する二次温水の流量を検出する流量センサである。風呂サーミスタ８２は、戻り管７２を流通する二次温水の温度を検出する水温センサである。風呂ポンプ８３は、二次温水の水流を発生させる羽根車８３ｂとこの羽根車８３ｂを回転駆動する電動モータ８３ａとから構成される。風呂ポンプ８３は、浴槽９０内の二次温水を二次側熱交換部３２に圧送する電動ポンプである。
【００３３】
熱交換器３０は、図１に示すように、一次側熱交換部３１に貯湯タンク１０内の貯えられた一次温水が流通するように１次側循環回路が往き管１６、戻り管１７、追焚きポンプ１８、逆止弁１９などから構成されている。この往き管１６は、上流端が貯湯タンク１０の上方部１０ｆに接続され、下流端が一次側熱交換部３１の流入部に接続されている。
【００３４】
また、戻し管１７は、上流端が一次側熱交換部３１の流出側に接続され、下流端が貯湯タンク１０の下方部１０ｇに接続されている。追焚きポンプ１８は、戻し管１７の中途に配置されており、貯湯タンク１０内の一次温水を一次側熱交換部３１に流通させるポンプである。追焚きポンプ１８は、一次温水の水流を発生させる羽根車１８ｂとこの羽根車１８ｂを回転駆動する電動モータ１８ａとから構成される。逆止弁１９は、往き管１６の中途に配置されている。
【００３５】
次に、本実施形態の貯湯式給湯器１の電気的構成について図２を参照して説明する。
【００３６】
まず、貯湯式給湯器１は、電子制御装置９５を備える。電子制御装置９５は、マイクロコンピュータ、ＲＡＭ、ＲＯＭ等を備える。ＲＯＭには、予め設定されたコンピュータプログラムが記憶されている。
【００３７】
電子制御装置９５は、コンピュータプログラムの実行に伴って浴槽９０内の温水を保温する保温制御処理を実行する。電子制御装置９５は、保温制御処理の実行に伴って風呂サーミスタ８２の検出値、リモコン９１の操作信号、人体検知センサ１００の検出値などに基づいて、追焚きポンプ１８、および風呂ポンプ８３を制御する。
【００３８】
リモコン９１は、保温モードの実施時間帯や浴槽９０内の温水の目標温度Ｔｓｅｔが使用者の操作によって設定されるリモートコントローラである。本実施形態の保温モードとしては、後述する新保温モード、従来型保温モード、および加熱保温モードの３種類のモードが実施される。
【００３９】
追焚きポンプ１８は、戻し管１７内にて回転により温水の流れを発生させる羽根車１８ｂと羽根車１８ｂを回転させる電動モータ１８ａとを備える第２ポンプである。
【００４０】
風呂ポンプ８３は、戻し管７２内にて回転により温水の流れを発生させる羽根車８３ｂと羽根車８３ｂを回転させる電動モータ８３ａとを備える第１ポンプである。
【００４１】
人体検知センサ１００は、浴槽９０が配置されている浴室に隣接する脱衣所に人が存在するか否かを判定するセンサである。具体的には、人体検知センサ１００は、脱衣所内を撮像するカメラと、カメラにより撮像された画像を認識して画像が人が写っているか否かを判定する画像認識処理装置とから構成されている。
【００４２】
このため、カメラにより撮像された画像を認識して画像に人が写っているときには、脱衣所に人が存在すると判定する。カメラにより撮像された画像に人が写っていないときには、脱衣所に人が存在しないと判定する。
【００４３】
次に、本実施形態の貯湯式給湯器１の作動について説明する。
【００４４】
まず、電子制御装置９５は、混合弁５２を制御して給湯管１３からの高温水と給湯管１４からの温水との混合比を調整する。さらに、電子制御装置９５は、お湯張り用混合弁５１を制御して温水配管１５からの温水と給水用配管１２からの冷水との混合比を調整する。電子制御装置９５は、湯張り用開閉弁５４を開弁する。
【００４５】
これに伴い、貯湯タンク１０から給湯管１３を通して流れる高温温水と貯湯タンク１０から給湯管１４を通して流れる中間温度の温水とが混合弁５２が混合されて温水配管１５を流れる。この混合された温水は温水配管１５を通過してからお湯張り用混合弁５１に流れる。このため、お湯張り用混合弁５１では、温水配管１５を流れる温水と給水用配管１２を流れる冷水とが混合されて、この混合された温水は、お湯張り用配管１６、および戻り管７２を通して浴槽９０に流れる。このことにより、浴槽９０に温水が出湯されることになる。
【００４６】
一方、使用者がリモコン９１を操作して保温モードを実行するべき時間帯（以下、保温時間帯という）を設定する。
【００４７】
このような状態で、電子制御装置９５は、図３のフローチャートにしたがって保温制御処理を実行する。
【００４８】
まず、ステップ１００において、現時刻が保温時間帯中であるか否かを判定することにより、浴槽９０内の二次温水を保温すべきであるか否かを判定する。つまり、保温モードを実施すべきか否かを判定する。
【００４９】
このとき、現時刻が保温時間帯から外れているときには、浴槽９０内の二次温水を保温すべきではないとして、ステップ１００においてＮＯと判定する。つまり、保温モードを実施すべきではないとして、ステップ１００に戻る。
【００５０】
このため、現時刻が保温時間帯から外れている場合には、ステップ１００の判定を繰り返し実行する。その後、現時刻が保温時間帯に入ると、二次温水を保温すべきであるとして、ステップ１００においてＹＥＳと判定する。つまり、保温モードを実施すべきであると判定する。
【００５１】
次に、ステップ１１０において、新保温モードを保温モードとして実行するべきか否かを判定する。具体的には、人体検知センサ１００の検出値に基づいて脱衣所に人がいるか否かを判定する。
【００５２】
このとき、人体検知センサ１００の検出値に基づいて、脱衣所に人がいないとして、ステップ１１０においてＮＯと判定すると、ステップ１７０に移行して、従来型保温モードを実行する。この従来型保温モードでは、追焚きポンプ１８と風呂ポンプ８３とを間欠的に運転する。
【００５３】
このとき、追焚きポンプ１８は、運転時に、貯湯タンク１０内から逆止弁１９、給湯管１３、一次側熱交換部３１、戻り管１７を通して一次温水を吸い込んでこの吸い込んだ一次温水を貯湯タンク１０に吐出する。このため、貯湯タンク１０および一次側熱交換部３１の間で一次温水が循環される。
【００５４】
風呂ポンプ８３は、運転時に、浴槽９０内の二次温水を戻り管７２を通して吸い込んでこの吸い込んだ二次温水を往き管７１および二次側熱交換部３２を通して浴槽９０内に吐出する。このため、浴槽９０および二次側熱交換部３２の間で二次温水が循環される。
【００５５】
これにより、一次側熱交換部３１を流通する一次温水と二次側熱交換部３２を流通する二次温水との間の熱交換により二次温水を加熱することになる。したがって、浴槽９０内の二次温水の温度を目標温度Ｔｓｅｔに近づけることになる。
【００５６】
以上により、追焚きポンプ１８と風呂ポンプ８３とを間欠的に運転することにより、一次温水と二次温水との間の熱交換が間欠的に行われることになる。その後、ステップ１００に戻る。このため、現時刻が保温時間帯に入ってり、かつ脱衣所に人がいないと判定する限り、ステップ１００のＹＥＳ判定と、ステップ１１０のＮＯ判定と、従来型保温モードの実行処理（ステップ１７０）を繰り返すことになる。このため、従来型保温モードが保温モードとして継続されることになる。
【００５７】
ここで、往き管７１、戻り管７２、貯湯タンク１０等は、屋外に配置されている。このため、熱交換器３０で一次温水と二次温水との間で間欠的に熱交換されるものの、追焚きポンプ１８と風呂ポンプ８３とが停止して一次温水と二次温水との間の熱交換が停止しているときには、戻り管７２内の二次温水は、大気に対して熱を放熱して温度が低下する。
【００５８】
これにより、戻り管７２内に冷水が滞留することになる。したがって、追焚きポンプ１８と風呂ポンプ８３とが運転を開始すると、戻り管７２から浴槽９０内に冷水が吐出されることになる。したがって、戻り管７２から浴槽９０内に吐出される冷水が浴槽９０内の入浴者の身体に触れると、入浴者に対して“ヒヤッ”とした不快感を与える。
【００５９】
これに対して、本実施形態では、人体検知センサ１００の検出値に基づいて脱衣所に人がいると判定したときには、新保温モードを保温モードとして実行するべきであるとしてステップ１１０においてＹＥＳと判定する。
【００６０】
これに伴い、ステップ１２０において、追焚きポンプ１８を停止した状態で風呂ポンプ８３を連続的に運転させる。このため、二次温水が浴槽９０および二次側熱交換部３２の間で連続的に循環される。したがって、浴槽９０内にて入浴者に冷水を吐出することはなくなる。
【００６１】
ここで、熱交換器３０における一次温水と二次温水との間の熱交換を停止した状態で、二次温水が浴槽９０および二次側熱交換部３２の間で連続的に循環されると、往き管７１や戻り管７２を流通する二次温水は、大気に放熱して温度が低下する。このため、時間の経過に伴って、徐々に、浴槽９０内の二次温水の温度が低下する。
【００６２】
そこで、本実施形態では、ステップ１３０において、浴槽９０内の二次温水の温度として風呂サーミスタ８２の検出温度Ｈを検出する。これに伴い、ステップ１４０において、風呂サーミスタ８２の検出温度Ｈが閾値Ｔａ未満であるか否かを判定する。
【００６３】
ここで、閾値Ｔａは、目標温度Ｔｓｅｔから所定温度ｔαを引いた温度（＝Ｔｓｅｔ−ｔα）である。目標温度Ｔｓｅｔは、リモコン９１に対して使用者により設定された浴槽９０内の二次温水の設定温度である。
【００６４】
上記ステップ１４０において、風呂サーミスタ８２の検出温度Ｈが閾値Ｔａ以上であるときには、浴槽９０内の二次温水の温度が低下していないとして、ＮＯと判定する。この場合、ステップ１２０に戻る。したがって、ステップ１４０でＮＯと判定する限り、風呂ポンプ８３の運転処理（ステップ１２０）、温度検出処理（ステップ１３０）、およびステップ１４０のＮＯ判定を繰り返し実行する。
【００６５】
このことにより、追焚きポンプ１８を停止した状態で風呂ポンプ８３を連続的に運転させる保温モードとしての新保温モード（すなわち、第１モード）の実行が継続されることになる。
【００６６】
したがって、貯湯タンク１０および一次側熱交換部３１の間における一次温水の循環が停止した状態で、浴槽９０および二次側熱交換部３２の間で二次温水が連続的に循環される。このため、戻り管７２から浴槽９０内に吐出される二次温水に浴槽９０内の入浴者の身体に触れても、入浴者に不快感を与えることはない。
【００６７】
一方、新保温モードでは、熱交換器３０における一次温水と二次温水との間の熱交換が停止されているため、往き管７１や戻り管７２内を流通する二次温水は、大気に放熱して温度が低下する。このため、時間の経過に伴って、浴槽９０内の二次温水の温度が低下する。
【００６８】
そこで、上記ステップ１４０において、風呂サーミスタ８２の検出温度Ｈが閾値Ｔａ未満となると、浴槽９０内の二次温水の温度が閾値Ｔａ未満になったとしてＹＥＳと判定する。すると、ステップ１５０において、加熱保温モード（第３モード）を保温モードとして実行する。
【００６９】
具体的には、ステップ１５０において、風呂ポンプ８３の運転を維持しつつ、追焚きポンプ１８を運転する。このため、貯湯タンク１０および一次側熱交換部３１の間で一次温水が循環される。これに加えて、浴槽９０および二次側熱交換部３２の間で二次温水が循環される。これにより、一次側熱交換部３１を流通する一次温水と二次側熱交換部３２を流通する二次温水との間の熱交換により二次温水を加熱することになる。これにより、浴槽９０内の二次温水の温度を目標温度Ｔｓｅｔに近づけることになる。
【００７０】
次に、ステップ１６０において、上記ステップ１５０において追焚きポンプ１８の運転を開始してから一定時間Ｔａ経過したか否かを判定する。
【００７１】
このとき、追焚きポンプ１８の運転時間が一定時間Ｔａ未満であるときには、ステップ１６０でＮＯと判定して、ステップ１５０に戻る。このため、追焚きポンプ１８の運転時間が一定時間Ｔａ未満である限り、追焚きポンプ１８の運転処理（ステップ１５０）およびステップ１６０のＮＯ判定を繰り返す。
【００７２】
その後、追焚きポンプ１８の運転時間が一定時間Ｔａ以上になると、ステップ１６０でＹＥＳと判定して追焚きポンプ１８を停止する（ステップ１７０）。
【００７３】
このように実行される保温制御処理において、新保温モードを実行する際には、風呂ポンプ８３により発生される二次温水の循環流量が多くなるほど、二次温水から往き管７１や戻り管７２を通して大気に放出される熱量が増える。
【００７４】
そこで、本実施形態では、新保温モードを実行する際に電動モータ８３ａが羽根車８３ｂを回転させる際の電動モータ８３ａの回転数を回転数Ｎａとする。従来型保温モードを実行する際に電動モータ８３ａが羽根車８３ｂを回転させる際の電動モータ８３ａの回転数を回転数Ｎｂとする。そして、回転数Ｎａが回転数Ｎｂよりも小さい回転数に設定されている（Ｎａ＜Ｎｂ）。
【００７５】
すなわち、電子制御装置９５は、新保温モードを実行する際には、従来型保温モードを実行する際に比べて、電動モータ８３ａの回転数Ｎａを小さくする。このため、新保温モードを実行する際には、従来型保温モードを実行する際に比べて浴槽９０および二次側熱交換部３２の間で循環させる二次温水の循環流量を少なくすることができる。よって、二次温水から往き管７１や戻り管７２を通して大気に放出される熱量を抑えることができる。
【００７６】
以上説明した本実施形態によれば、電子制御装置９５は、貯湯タンク１０内の一次温水と浴槽内の二次温水との間で熱交換して浴槽９０内の二次温水を加熱する熱交換器３０と、貯湯タンク１０と熱交換器３０との間で一次温水を循環させる追焚きポンプ１８と、熱交換器３０と浴槽９０内との間で二次温水を循環させる風呂ポンプ８３とを備える給湯器１に適用される。
【００７７】
電子制御装置９５は、追焚きポンプ１８を停止した状態で風呂ポンプ８３を連続して運転して循環回路３４内にて二次温水を循環させる新保温モードを実行する。したがって、新保温モードを実行すれば、浴槽９０および二次側熱交換部３２の間で二次温水が連続的に循環される。このため、戻り管７２から浴槽９０内に冷水が吐出されることはなく、戻り管７２から浴槽９０内に吐出される二次温水に浴槽９０内の入浴者の身体に触れても、入浴者に不快感を与えることを抑制することができる。
【００７８】
これにより、浴槽９０内の入浴者に違和感を与えることを抑制するようにした電子制御装置９５を提供することができる。
【００７９】
本実施形態では、新保温モードの実行時の電動モータ８３ａの回転数Ｎａは、従来型保温モードの実行時の電動モータ８３ａの回転数Ｎｂよりも小さい回転数に設定されている（Ｎａ＜Ｎｂ）。このため、新保温モードを実行する際には、従来型保温モードを実行する際に比べて浴槽９０および二次側熱交換部３２の間で循環させる二次温水の流量が少なくなる。これにより、往き管７１内の二次温水や戻り管７２内の二次温水から大気に放熱される放熱量（すなわち、熱ロス）を少なくすることができる。
【００８０】
以上により、新保温モードの実行時には、往き管７１内の二次温水や戻り管７２内の二次温水から大気に放熱されることになるが、風呂ポンプ８３のできるだけ小さな運転量（すなわち、電動モータ８３ａの回転数）を取り入れることで省エネルギ化に反するデメリットを最小限にしつつ、快適性を向上させることができる。
【００８１】
本実施形態では、新保温モードを実行した後、ステップ１４０において、浴槽９０内の二次温水の温度が閾値Ｔａ未満になると、加熱保温モードを実行して、浴槽９０内の二次温水を加熱する。このため、浴槽９０内の二次温水の温度を維持することができるので、浴槽９０内の入浴者に不快感を与えることを抑制することができる。
【００８２】
本実施形態では、バーナー加熱や予備配管等の追加部品を用いることなく、風呂サーミスタ８２や風呂ポンプ８３を用いて新保温モードを実行する。このため、従来の貯湯式給湯器１の構成を維持しながら、新保温モードを実行することができる。つまり、簡素な構成の貯湯式給湯器１で新保温モードを実行することができる。
【００８３】
本実施形態では、電子制御装置９５は、人体検知センサ１００の検出値に基づいて、脱衣室に人が存在すると判定したときに、新保温モードを実行する。このため、使用者が入浴する直前に、電子制御装置９５は、が第１モードの実行を開始することができる。
【００８４】
（他の実施形態）
（１）上記実施形態では、ステップ１１０において、人体検知センサ１００の検出値によって、脱衣所内に人が存在するか否かを判定することにより、新保温モードを実行するべきか否かを判定する例について説明したが、これに代えて、ステップ１１０において、次のようにしてもよい。
【００８５】
操作者によるリモコン９１への操作により設定された設定情報に基づいて、新保温モードを実行するべきか否かを示す設定情報を設定する。電子制御装置９５は、このリモコン９１に設定された設定情報に基づいて、新保温モードを実行するべきか否かを判定する。
【００８６】
例えば、操作者が新保温モードを実行することを希望する旨を設定情報としてリモコン９１への操作により設定したとき、新保温モードを実行するべきであると判定する。一方、操作者が新保温モードを実行することを希望する旨を設定情報としてリモコン９１への操作により設定しないときには、新保温モードを実行するべきではないと判定する。
【００８７】
（２）上記実施形態では、ステップ１４０において、目標温度Ｔｓｅｔから所定温度ｔαを引いた温度を閾値Ｔａとし、風呂サーミスタ８２の検出温度Ｈが閾値Ｔａ未満であると判定したときに、ステップ１５０において、追焚きポンプ８３を運転した例について説明したが、これに代えて、次のようにしてもよい。
【００８８】
まず、風呂サーミスタ８２の検出温度Ｈを繰り返しサンプリングしてサンプリング値Ｈ（ｎ）を求める。括弧内のｎは、サンプリング回数である。前回のサンプリング値Ｈ（ｎ−１）から所定温度ｔβを引いた温度を閾値Ｔａ（＝Ｈ（ｎ−１）−ｔβ）とする。
【００８９】
ステップ１４０において、今回のサンプリング値Ｈ（ｎ）が閾値Ｔａ未満であるか否かを判定する。今回のサンプリング値Ｈ（ｎ）が閾値Ｔａ未満であるときにはステップ１４０においてＹＥＳと判定したときに、ステップ１５０において、追焚きポンプ８３を運転する。
【００９０】
（３）上記実施形態では、新保温モードの実行時の風呂ポンプ８３の電動モータ８３ａの回転数Ｎａを、従来型保温モードの実行時の電動モータ８３ａの回転数Ｎｂよりも小さい回転数に設定した例について説明したが、これに代えて、次のようにしてもよい。
【００９１】
新保温モードの実行時の風呂ポンプ８３の電動モータ８３ａの回転数Ｎａを、風呂ポンプ８３において実施可能な最小回転数に設定しても良い。
【００９２】
（４）なお、本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の形状、位置関係等に言及するときは、特に明示した場合および原理的に特定の形状、位置関係等に限定される場合等を除き、その形状、位置関係等に限定されるものではない。
【００９３】
（まとめ）
上記実施形態、および他の実施形態の一部または全部に記載された第１の観点によれば、貯湯タンク内の一次温水と浴槽内の二次温水との間で熱交換して浴槽内の二次温水を加熱する熱交換器と、貯湯タンクと熱交換器との間で一次温水を循環させる第１ポンプと、熱交換器と浴槽内との間で二次温水を循環させる第２ポンプとを備える給湯器に適用される給湯器用電子制御装置であって、第１ポンプを停止した状態で第２ポンプを連続して運転して熱交換器と浴槽内との間で二次温水を循環させる第１モードを実行する第１保温制御部を備える。
【００９４】
第２の観点によれば、二次温水を保温すべきか否かを判定する第１判定部と、第１モードを実行すべきか否かを第２判定部と、二次温水を保温すべきであると第１判定部が判定し、かつ第１モードを実行すべきでないと第２判定部が判定したとき、第１ポンプと第２ポンプとを間欠的に運転させることにより、熱交換器にて一次温水により二次温水を間欠的に加熱させる第２モードを実行する第２保温制御部と、を備え、二次温水を保温すべきであると第１判定部が判定し、かつ第１モードを実行すべきであると第２判定部が判定したとき、第１保温制御部が第１モードを実行する。
【００９５】
第３の観点によれば、第２判定部は、浴槽が配置されている浴室に隣接する脱衣室に人が存在するか否かを検出するためのセンサ（１００）の検出値に基づいて、脱衣室に人が存在するか否かを判定することにより、第１モードを実行すべきか否かを判定する。
【００９６】
したがって、使用者が入浴する直前に、第１保温制御部が第１モードの実行を開始することができる。
【００９７】
第４の観点によれば、第２ポンプは、二次温水の流れを回転により発生させる羽根車と羽根車を回転させる電動モータとを備え、第２保温制御部が第２モードを実行する際に羽根車を回転させる電動モータの回転数を第１回転数とし、第１保温制御部は、第１モードを実行する際に第１回転数よりも小さい回転数で羽根車を回転させるように電動モータを制御する。
【００９８】
したがって、第１モードを実行する際に二次温水の循環流量を少なくすることができる。このため、第１モードを実行する際に二次温水から大気に放熱される放熱量を減らすことができる。このため、第１モードを実行する際に二次温水の温度低下を抑制することができる。
【００９９】
第５の観点によれば、二次温水の温度を検出する水温センサの検出値に基づいて、二次温水の温度が閾値よりも低いか否かを判定する第３判定部と、第１保温制御部が第１モードを実行した後、二次温水の温度が閾値よりも低いと第３判定部が判定したとき、第１ポンプと第２ポンプとをそれぞれ運転することにより、熱交換器にて一次温水により二次温水を加熱させる第３モードを実行する第３保温制御部と、を備える。
【０１００】
したがって、二次温水の温度が閾値よりも低くなると、浴槽内の二次温水を加熱ことができる。
【符号の説明】
【０１０１】
１    貯湯式給湯器
１０    貯湯タンク
１８    追焚きポンプ（第１ポンプ）
３０    熱交換器
８３    風呂ポンプ（第２ポンプ）
９０    浴槽
９５    電子制御装置
【図１】
2018076982.tif 000003
【図２】
2018076982.tif 000004
【図３】
2018076982.tif 000005